(57)【要約】【課題】リライタブルカードを利用して新しい演出が行えるようになる遊技機の提供。【解決手段】書き込み装置33と視認範囲Ｓとの間についてリライタブルカード31の搬送を行うカード搬送機構32を設け、書き込み装置33によるリライタブルカード31の書き替え、及び、書き込み装置33から視認範囲Ｓまでのリライタブルカード31の搬送を何回も繰り返せば、１枚のリライタブルカード31では、とうてい表示しきれない程の多くの情報量を遊技者に提示できる。これにより、遊技者に所定の内容を報知するための表示装置としてリライタブルカード31を利用することが可能となり、入賞役の演出に最適な文章や図形をリライタブルカード31で表示することにより、充分な演出効果を奏することができ、従って、リライタブルカード31を利用した、まったく新しい演出を行うことができる。【選択図】    図２
2007151700.tif 000002
【特許請求の範囲】
【請求項１】
表面に露出している表示内容の書き換えが可能となったリライタブルカードと、このリライタブルカードに表示されている表示内容を消去して、新たな表示内容を書き込むための書き込み装置と、前面に開口を有する箱状に形成された筐体と、この筐体の開口を塞ぐ前扉とを備え、前記リライタブルカード及び前記書き込み装置が前記筐体の内部に収納されている遊技機であって、
前記リライタブルカードを前記筐体の外側から視認させるためのカード表示窓が前記前扉の前面に設けられ、
このカード表示窓を通して見える視認範囲の外側に前記書き込み装置が配置され、
前記リライタブルカードを前記書き込み装置及び前記視認範囲の一方から他方へ搬送する搬送機構が設けられていることを特徴とする遊技機。
【請求項２】
前記リライタブルカードは、その表面に表示内容を表示する領域が設定され、且つ、この領域が設定された部分の内部に多数の磁性粉が封入されるとともに、これらの磁性粉に外部からの磁力を作用させることにより、新たな表示内容の書き換えが行われるものであることを特徴とする請求項１記載の遊技機。
【請求項３】
前記リライタブルカードは、その表面に表示内容を表示する領域が設定され、且つ、この領域とは重ならない部分に、各種の情報を磁気的に記録するための磁気記録媒体層が設けられたものであり、
前記書き込み装置は、前記リライタブルカードの前記磁気記録媒体層に記録された内容を読み取る機能と、前記リライタブルカードの前記磁気記録媒体層に記録を書き込む書き込み機能とを備えたものであることを特徴とする請求項１又は２記載の遊技機。
【請求項４】
遊技における当否を決める抽選を行うとともに、この抽選で当選した可能性があることを遊技者に報知する報知演出を行うべき旨を指示する指令信号の送出が可能となった遊技制御装置が設けられ、
前記視認範囲には、複数枚のリライタブルカードが横並び可能なサイズが確保され、
前記リライタブルカード及び前記搬送機構がそれぞれ複数設けられ、
前記遊技制御装置は、遊技における抽選で当選した可能性があることを報知する報知演出が行われる際に、当選の可能性に応じた数の前記搬送機構を駆動させて、当選の可能性に応じた枚数のリライタブルカードを前記視認範囲に配置させるものとなっていることを特徴とする請求項１から請求項３までのいずれかに記載の遊技機。
【発明の詳細な説明】
【技術分野】
【０００１】
本発明は、スロットマシン等の回胴式遊技機を含む遊技機に関する。
【背景技術】
【０００２】
従来から、人々に娯楽を提供するために、スロットマシン等の様々な遊技機が利用されている。例えば、スロットマシンは、複数種類の図柄が記されるとともに回転駆動可能に設けられた複数の回転リールを備えたものであり、複数の回転リールに設けられた複数種類の図柄を所定の組合せに揃えるゲームを遊技者に行わせ、これにより、娯楽を提供するものとなっている。
また、このような遊技機には、様々な演出を行うために、ダミーの回転リール、液晶表示装置、ドット表示装置、演出用ランプ等の演出用のデバイスが設けられている。例えば、遊技機に液晶表示装置を設ければ、その画面に様々な映像の表示が可能となり、遊技中に様々な情報を遊技者に提供できるうえ、遊技者が入賞した際等に、入賞役の演出に最適な画像を表示することにより、演出効果を高めることができ、遊技者をさらに遊技に没入させることが可能となる。
【０００３】
ところで、近年、今までに買い物した金額に応じたサービスを提供するために、小売店が顧客に発行するポイントカード等としてリライタブルカードが利用されている。このリライタブルカードは、カードの読み取り及び書き込みを行う装置にかけることにより、その表面に表示された表示内容を書き替えることが可能となっている。
このようなリライタブルカードには、磁気作用により書き換えが可能となった磁気式のリライタブルカード（例えば、特許文献１及び２参照）や、可逆感熱記録が行えるロイコ染料等を利用した熱可逆性方式のリライタブルカード（例えば、特許文献３参照）が知られている。
【特許文献１】特開平５−１６５８０号
【特許文献２】特開平５−９６８８８号
【特許文献３】特開２００４−２０９８９９号
【発明の開示】
【発明が解決しようとする課題】
【０００４】
前述のような遊技機では、ダミーの回転リール、液晶表示装置、ドット表示装置、演出用ランプ等の演出用のデバイスに新鮮味がなくなってしまっており、今まででにない、まったく新しい演出が行えるデバイスの登場が要望されている。
また、本出願人は、比較的新しい技術であるリライタブルカードを遊技機に利用できないものかと思料していたが、遊技機にリライタブルカードを組み合わせるための具体的且つ好適な手段がなかったという問題があった。
そこで、各請求項にそれぞれ記載された各発明は、上記した従来の技術の有する問題点に鑑みてなされたものであり、その目的とするところは、リライタブルカードを利用して新しい演出が行えるようになる遊技機を提供することである。
【課題を解決するための手段】
【０００５】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
（請求項１）
（特徴点）
請求項１記載の発明は、次の点を特徴とする。
すなわち、請求項１に記載された発明は、表面に露出している表示内容の書き換えが可能となったリライタブルカード(31)と、このリライタブルカード(31)に表示されている表示内容を消去して、新たな表示内容を書き込むための書き込み装置(33)と、前面に開口を有する箱状に形成された筐体(２)と、この筐体(２)の開口を塞ぐ前扉(３)とを備え、前記リライタブルカード(31)及び前記書き込み装置(33)が前記筐体(２)の内部に収納されている遊技機(１)であって、前記リライタブルカード(31)を前記筐体(２)の外側から視認させるためのカード表示窓(30)が前記前扉(３)の前面に設けられ、このカード表示窓(30)を通して見える視認範囲(Ｓ)の外側に前記書き込み装置(33)が配置され、前記リライタブルカード(31)を前記書き込み装置(33)及び前記視認範囲(Ｓ)の一方から他方へ搬送する搬送機構(32,32C)が設けられていることを特徴とする。
【０００６】
ここで、リライタブルカードとしては、磁気作用により書き換えが可能となった磁気式のもの、及び、可逆感熱記録が行えるロイコ染料等を利用した熱可逆性方式のものの両方が採用できる。
（請求項２）
（特徴点）
請求項２記載の発明は、前述した請求項１に記載の発明において、次の特徴点を備えているものである。
すなわち、請求項２記載の発明は、前記リライタブルカード(31)として、その表面に表示内容を表示する表示領域が設定され、且つ、この表示領域が設定された部分の内部に多数の磁性粉が封入されるとともに、これらの磁性粉に外部からの磁力を作用させることにより、新たな表示内容の書き換えが行われるものが採用されていることを特徴とする。
【０００７】
（請求項３）
（特徴点）
請求項３記載の発明は、前述した請求項１又は２に記載の発明において、次の特徴点を備えているものである。
すなわち、請求項３記載の発明は、前記リライタブルカード(31)の表面に表示内容を表示する表示領域が設定され、且つ、この表示領域とは重ならない部分に、各種の情報を磁気的に記録するための磁気記録媒体層が設けられ、前記書き込み装置(33)には、前記リライタブルカード(31)の前記磁気記録媒体層に記録された内容を読み取る機能と、前記リライタブルカード(31)の前記磁気記録媒体層に記録を書き込む書き込み機能とが備えられていることを特徴とするものである。
【０００８】
（請求項４）
（特徴点）
請求項４記載の発明は、前述した請求項１から請求項３までのいずれかに記載の発明において、次の特徴点を備えているものである。
すなわち、請求項４記載の発明は、遊技における当否を決める抽選を行うとともに、この抽選で当選した可能性があることを遊技者に報知する報知演出を行うべき旨を指示する指令信号の送出が可能となった遊技制御装置(４)が設けられ、前記視認範囲(Ｓ)には、複数枚のリライタブルカード(31)が横並び可能なサイズが確保され、前記リライタブルカード(31)及び前記搬送機構(32,32C)がそれぞれ複数設けられ、前記遊技制御装置(４)は、遊技における抽選で当選した可能性があることを報知する報知演出が行われる際に、当選の可能性に応じた数の前記搬送機構(32,32C)を駆動させて、当選の可能性に応じた枚数のリライタブルカード(31)を前記視認範囲(Ｓ)に配置させるものとなっていることを特徴とする。
【発明の効果】
【０００９】
（請求項１の効果）
以上のように構成されている本発明は、以下に記載されるような効果を奏する。
すなわち、請求項１記載の発明によれば、視認範囲に配置されているリライタブルカードを搬送機構で書き込み装置まで送ることにより、書き込み装置でリライタブルカードの表示内容を書き換えることができ、この後、再度、搬送機構で視認範囲へ搬送することにより、書き替えた表示内容を遊技者等に対して表示することができる。
そして、これらの書き替え動作及び搬送動作を必要に応じて何度も繰り返すことにより、１枚のリライタブルカードでは、とうてい表示しきれない程の多くの情報量を表示することができる。
【００１０】
従って、液晶表示装置のように動画を表示することはできないが、遊技者に所定の内容を報知するための表示装置としての利用することが充分可能となり、入賞役の演出に最適な文章や図形を表示することにより、充分な演出効果を奏することができ、これにより、リライタブルカードを利用した、まったく新しい演出を行うことができる。
（請求項２の効果）
請求項２記載の発明によれば、上記した請求項１記載の発明の効果に加え、次のような効果を奏する。
すなわち、請求項２記載の発明によれば、リライタブルカードとして、多数の磁性粉が封入されて、外部からの磁力で書き換えが行われる磁気式のリライタブルカードを採用したので、他のリライタブルカード、例えば、熱可逆性方式のリライタブルカードを採用する場合よりも、書き替え可能回数が著しく多く確保されるようになり、リライタブルカードの交換作業の頻度が低減でき、ランニングコストやメンテナンスの手間を軽減することができる。
【００１１】
（請求項３の効果）
請求項３記載の発明によれば、上記した請求項１又は２記載の発明の効果に加え、次のような効果を奏する。
すなわち、請求項３記載の発明によれば、表示領域と重ならない部分に磁気記録媒体層が設けられたリライタブルカードを採用するとともに、このリライタブルカードの磁気記録媒体層に記録された内容の読み取りと書き込みとを行える書き込み装置を採用したので、リライタブルカードの表示領域に表示すべき表示内容をリライタブルカード自身の磁気記録媒体層に記憶させることができ、表示内容についてのデータを他の装置、例えば、遊技機に設けられた遊技制御装置から受けなくとも、所定の表示内容を表示領域に表示することができる。
【００１２】
また、磁気記録媒体層に複数種類の表示内容に係るデータを記録し、これのデータのそれぞれに識別コードを付しておけば、書き込み装置は、遊技制御装置から識別コードを受信するだけで、指定された表示内容でリライタブルカードの書き換えが行えるので、リライタブルカードで演出が行えるように遊技機を改造又は設計変更するにあたり、遊技制御装置等を大幅に改造・変更する必要がなく、改造・変更にかかる手間等を最低限に抑制することができる。
（請求項４の効果）
請求項４記載の発明によれば、上記した請求項１から請求項３までのいずれかに記載の発明の効果に加え、次のような効果を奏する。
【００１３】
すなわち、請求項４記載の発明によれば、遊技における当否を決める抽選で、ボーナスゲーム等に当選した可能性を遊技者に示唆する報知演出を行う際に、当選した可能性に応じた数のリライタブルカードを視認範囲に配置して表示させることができる。より具体的に説明すると、ボーナスゲーム等に当選した可能性が高ければ高い程、視認範囲に配置して表示させるリライタブルカードの枚数を増やすことができる。
これにより、ボーナスゲーム等に当選した可能性が高いか否かを遊技者に報知することが可能となり、遊技者は、遊技に対する期待感を抱くようになるので、報知演出における演出効果を高めることができ、遊技者をさらに遊技に没入させることができる。
【発明を実施するための最良の形態】
【００１４】
以下に、本発明を実施するための最良の形態である実施形態について、図面に基づいて説明する。
（第１実施形態）
図１〜図３は、本発明の第１実施形態を示すものである。図１は、本第１実施形態に係る遊技機であるスロットマシンの全体を示す正面図、図２は、本第１実施形態に係るカード表示演出装置を示す断面図、図３は、本第１実施形態に係る制御装置の要部を示すブロック図である。
（スロットマシン１の概要）
本実施形態に係るスロットマシン１は、図１に示すように、当該スロットマシン１の各種装置を収納する筐体として、略六面体の箱状に形成された本体キャビネット２を備えたものである。この本体キャビネット２の前面は、開口されている。そして、本体キャビネット２の前面の開口は、当該本体キャビネット２に回動可能に設けられた前扉３によって塞がれるようになっている。
【００１５】
前扉３の上下方向における中央部分は、スロットマシン１の遊技操作を行うための操作部10となっている。
操作部10には、図１中右側から、前扉３の施錠を行う鍵が差し込まれる鍵穴11と、遊技用メダルが投入されるメダル投入口12と、回転リール19の回転を停止させるストップスイッチ13と、メダル投入口12に投入されたメダルのうち該ゲームに賭けるメダルの枚数を設定するためのベットスイッチ14と、回転リール19の回転を開始させるスタートスイッチ15とが設けられている。
操作部10の下方には、文字及び図の少なくとも一方からなる標章、例えば、スロットマシン１の機種名を鮮明に表示するための下パネル16が設けられている。この下パネル16の裏側には、下パネル16を後方から照らす図示しないバックライト装置が設けられている。さらに、下パネル16の下方には、払い出されたメダルを溜めておくためのメダル受け17が設けられている。
【００１６】
また、操作部10の上方には、横方向に細長い長方形状に形成された図柄表示窓18と、短尺の長方形に形成されたカード表示窓30とが設けられている。
このうち、図柄表示窓18は、本体キャビネット２の内部に収納された回転リール19の図柄を遊技者に見せるためのものである。
カード表示窓30は、本体キャビネット２の内部に収納されたリライタブルカード31に表された表示内容、例えば、遊技者へのメッセージを遊技者に視認させるものである。
リライタブルカード31は、スロットマシン１の内部で行われる内部抽選において当選した可能性があることを報知する報知演出を行うためのものである。換言すれば、リライタブルカード31は、報知演出の際に表示されることで、当選した可能性があることを遊技者に報知するものである。このようなリライタブルカード31は、後述するカード表示演出装置40の一部分となっている。
【００１７】
図柄表示窓18の上方には、動画の表示までもが可能となった液晶パネル表示装置20が設けられている。この液晶パネル表示装置20の上方には、当該液晶パネル表示装置20に被さるように配置された逆Ｕ字形の装飾照明部21が設けられている。
このうち、装飾照明部21は、白熱ランプや発光ダイオード等の各種の光源を含んで構成され、入賞の告知や演出等のために光源を点灯あるいは点滅されるものとなっている。
前扉３の上方左右の角隅近傍には、種々の音声を出力するためのスピーカ22が設けられている。
（カード表示演出装置40の構成）
前述したリライタブルカード31は、本発明に基づくカード表示演出装置40を構成する構成要素の一つである。
【００１８】
すなわち、カード表示演出装置40は、リライタブルカード31に加えて、図２に示すように、前扉３に設けられたカード表示窓30の裏側を塞ぐためのシャッター41と、このシャッター41を図２中上下方向に駆動するシャッター駆動機構42と、リライタブルカード31を図２中上下方向に搬送するカード搬送機構32と、リライタブルカード31に表示内容を書き込むための書き込み装置33とを備えたものとなっている。
なお、前扉３の裏側には、カード表示窓30に対応したサイズの筒体43が当該カード表示窓30に対応した位置に配置されている。この筒体43により、カード表示窓30を通して本体キャビネット２内の不要な部位が遊技者に見えないようになっている。
【００１９】
シャッター41は、カード表示窓30に対応したサイズの平板部材である。
そして、シャッター駆動機構42は、図２には示されていないシャッターモータ44でシャッター41を駆動するものである。なお、シャッター41は、報知演出を行うとき以外は開放されずに、閉鎖状態となっている。
すなわち、シャッター駆動機構42は、シャッターモータ44に加えて、シャッター41の駆動方向に沿って当該シャッター41を案内する図２に示されていないガイドレールと、シャッター41の裏面に固定されるとともに、当該シャッター41の駆動方向に延びるラック42A と、前述のシャッターモータ44のトルクが伝達されるとともに、ラック42A と噛み合っているピニオンギア42B とを備えたものとなっている。
【００２０】
そして、前扉３の裏側には、シャッター41が上昇限界位置に到達したことを検知する上部リミットスイッチ（図示略）と、シャッター41が下降限界位置に到達したことを検知する下部リミットスイッチ（図示略）とが設けられている。
このような構成のシャッター駆動機構42は、シャッターモータ44を、時計方向及び反時計方向のうちの一方の回転方向に回転させれば、シャッター41を上昇限界位置まで上昇させることができ、反対に、シャッターモータ44を、時計方向及び反時計方向のうちの他方の回転方向に回転させれば、シャッター41を下降限界位置まで下降させることができるものとなっている。
【００２１】
リライタブルカード31は、磁気作用により、表面に露出している表示内容の書き換えが可能となった磁気式のものである。
より詳しく説明すると、リライタブルカード31は、その表面の中央部分に表示内容を表示する表示領域が設定されたものである。リライタブルカード31の表示領域が設定された部分の内部には、多数の磁性粉が封入されている。リライタブルカード31は、内部に封入された磁性粉に外部からの磁力を作用させることにより、新たな表示内容の書き換えが可能となっている。
また、リライタブルカード31の表面には、各種の情報を磁気的に記録するための磁気記録媒体層として図示しない磁気ストライプが設けられている。この磁気ストライプは、前述の表示領域とは重ならないように部分に配置されている。より具体的に説明すると、磁気ストライプは、リライタブルカード31の搬送方向に沿った端縁の近傍部分に、搬送方向に沿って細長く形成されている。
【００２２】
書き込み装置33は、内部に挿入されたリライタブルカード31に対して、消去用の磁力を作用させることにより、当該リライタブルカード31に表示されている表示内容を消去する表示消去機能と、書き込み用の磁力を作用させることにより、新たな表示内容を書き込む表示書込機能とを備えたものとなっている。
また、書き込み装置33には、リライタブルカード31の磁気ストライプに記録された記録内容を読み取る磁気記録読取機能と、必要に応じて、リライタブルカード31の磁気ストライプに記録された記録内容を消去した後、新たな記録内容を書き込む磁気記録書込機能とが設けられている。
【００２３】
さらに、書き込み装置33には、リライタブルカード31を内部に挿入させるための挿入口33A と、この挿入口33A から内部に挿入されたリライタブルカード31の移動を検出するための図示しない移動検出ローラとを備え、リライタブルカード31が挿入口33A から奥へ移動するのにともなって、表示内容の書き込み等、リライタブルカード31に対して行うべき各種の処理を行うものとなっている。
ここで、書き込み装置33の設置位置は、カード表示窓30を通して見える視認範囲Ｓの外側となっている。
カード搬送機構32は、リライタブルカード31を書き込み装置33及び視認範囲Ｓの一方から他方へ搬送するものである。
【００２４】
さらに詳しく説明すると、カード搬送機構32は、リライタブルカード31を書き込み装置33及び視認範囲Ｓの間に配置されるとともに、リライタブルカード31をその間に挟持する一対の駆動ローラ32A と、これら一対の駆動ローラ32A を駆動する図２には示されていない搬送モータ34と、一対の駆動ローラ32A の図２中下方においてリライタブルカード31を搬送方向に沿って案内するカード案内レール35とを備えたものとなっている。
ここで、リライタブルカード31は、駆動ローラ32A よりも図２中下方においては、カード案内レール35に摺動可能に案内され、駆動ローラ32A よりも図２中上方においては、書き込み装置33の内部に設けられた図示しない案内機構により摺動可能に案内されるようになっている。
【００２５】
これにより、リライタブルカード31は、その表示領域が書き込み装置33の内部に完全に没入してしまう位置Ｕと、その表示領域がカード表示窓30及び視認範囲Ｓの間に完全に収まってしまう位置Ｔとの間を移動可能となっている。
そして、一対の駆動ローラ32A は、リライタブルカード31が位置Ｕに達した状態においては、リライタブルカード31の図２中下方の端部近傍部分を挟持し、リライタブルカード31が位置Ｔに達した状態においては、、リライタブルカード31の図２中上方の端部近傍部分を挟持するもｔのであり、換言すれば、その間に常にリライタブルカード31の一部分を挟持するものとなっている。
【００２６】
なお、図２におけるカード案内レール35の上方及び下方の各端部近傍には、リライタブルカード31が位置Ｕに到達したことを検知する上方リミットスイッチ（図示略）と、リライタブルカード31が位置Ｔに到達したことを検知する下方リミットスイッチ（図示略）とが設けられている。
このような構成のカード搬送機構32は、搬送モータ34を、時計方向及び反時計方向のうちの一方の回転方向に回転させれば、リライタブルカード31を位置Ｕまで上昇させることができ、反対に、搬送モータ34を、時計方向及び反時計方向のうちの他方の回転方向に回転させれば、リライタブルカード31を位置Ｔまで下降させることができるものとなっている。
（カード表示演出装置40の制御系）
次に、カード表示演出装置40の制御系について簡単に説明する。
【００２７】
図３には、カード表示演出装置40に係る制御系統の概略構成が示されている。図３において、スロットマシン１には、その遊技における動作を制御する遊技制御装置４に加えて、カード表示演出装置40を制御するカード演出制御装置５が設けられている。
こうのち、遊技制御装置４は、その遊技における当否を決める抽選を行うとともに、この抽選で当選した可能性があることを遊技者に報知する報知演出を行うべき旨を指示する指令信号を送出することが可能となっている。
カード演出制御装置５は、１チップのみでＣＰＵが構成される４ビットのマイクロコンピュータ等、比較的インテリジェンスの低いマイクロコンピュータ（図示略）と、制御に必要なプログラムやデータの記憶が可能な記憶素子（図示略）とを備えたものである。
【００２８】
そして、このカード演出制御装置５は、記憶素子に記憶されたプログラムをマイクロコンピュータに実行させることにより、シャッターモータ44、搬送モータ34及び書き込み装置33の動作を制御するようになっている。
ここで、カード演出制御装置５によって制御されるもののうち、書き込み装置33は、カード演出制御装置５に直接制御される一方、シャッターモータ44及び搬送モータ34は、それぞれシャッターモータ駆動装置６及び搬送モータ駆動装置７を介して間接的に制御されるようになっている。
書き込み装置33は、カード演出制御装置５から送信されてくる制御信号を受信し、受信した制御信号に応じて、リライタブルカード31の表示内容の消去処理、新たな表示内容の書き込み処理、リライタブルカード31の磁気ストライプの読み取り処理、磁気ストライプの記録内容の消去処理、及び、磁気ストライプのへの新たな記録内容の書き込み処理等を行うようになっている。
【００２９】
シャッターモータ駆動装置６は、所定の電力制御用スイッチング素子を備えたものであり、カード演出制御装置５から送信されてくる制御信号を受信し、時計方向及び反時計方向のうち、受信した制御信号に応じた回転方向にシャッターモータ44を駆動させるようになっている。
搬送モータ駆動装置７は、シャッターモータ駆動装置６と同様に、所定の電力制御用スイッチング素子を備えたものであり、カード演出制御装置５から送信されてくる制御信号を受信し、時計方向及び反時計方向のうち、受信した制御信号に応じた回転方向に搬送モータ34を駆動させるようになっている。
（カード表示演出装置40の動作）
続いて、カード表示演出装置40の動作について簡単に説明する。
【００３０】
まず、カード表示演出装置40が動作を開始するに先立って、遊技制御装置４が当否を決める抽選を行う。遊技制御装置４は、抽選の結果、当選した可能性があることを遊技者に報知する報知演出を行うべきであると判断すると、その旨を指示する演出指令信号をカード演出制御装置５へ送出する。
ここで、報知演出においてカード表示演出装置40が表示する表示内容は、予め複数種類用意されているので、遊技制御装置４は、複数種類のうち、一の表示内容を特定する識別コード信号を、前述の指令信号とともにカード演出制御装置５へ送出する。
また、リライタブルカード31の磁気ストライプには、複数種類の表示内容を表示させるための表示内容データが記憶されている。そして、これらの表示内容データの各々には、他の表示内容データと識別するために、前述の識別コード信号と一致する識別コードが付されている。
【００３１】
識別コード信号及び演出指令信号を受信したカード演出制御装置５は、搬送モータ駆動装置７に向けて、リライタブルカード31を書き込み装置33へ挿入すべき旨の挿入指令信号を送信する。
また、搬送モータ駆動装置７への挿入指令信号の送信とほぼ同時に、カード演出制御装置５は、リライタブルカード31に表示されている表示内容を消去すべき旨の表示消去指令信号と、リライタブルカード31の磁気ストライプに記録された複数種類の表示内容データのうち、識別コード信号に対応したものを読み取るべき旨の表示データ読取指令信号と、その識別コード信号とを書き込み装置33へ送出する。
【００３２】
挿入指令信号を受信した搬送モータ駆動装置７は、リライタブルカード31を書き込み装置33へ挿入させる回転方向に搬送モータ34を駆動させる。
リライタブルカード31が書き込み装置33に挿入され始めると、書き込み装置33の移動検出ローラが作動し、リライタブルカード31の挿入を検知する。すると、書き込み装置33は、リライタブルカード31の挿入に伴って、リライタブルカード31の表示内容を消去するとともに、受信した識別コード信号に対応した表示内容データをリライタブルカード31の磁気ストライプから読み取る。
リライタブルカード31の表示内容の消去処理と、磁気ストライプからの表示内容データの読取処理が完了すると、書き込み装置33は、準備完了信号をカード演出制御装置５へ送出する。
【００３３】
準備完了信号を受信したカード演出制御装置５は、リライタブルカード31を書き込み装置33から排出すべき旨の排出指令信号を搬送モータ駆動装置７へ送信するとともに、リライタブルカード31に新たな表示内容を書き込むべき旨の表示書込指令信号を書き込み装置33へ送出する。
排出指令信号を受信した搬送モータ駆動装置７は、リライタブルカード31を書き込み装置33から排出させる回転方向に搬送モータ34を駆動させる。
リライタブルカード31が書き込み装置33から排出され始めると、書き込み装置33の移動検出ローラが作動し、リライタブルカード31の排出を検知する。すると、書き込み装置33は、リライタブルカード31の排出に伴って、リライタブルカード31に新たな表示内容を書き込む。
【００３４】
リライタブルカード31の書き込み処理が完了すると、書き込み装置33は、書込完了信号をカード演出制御装置５へ送出する。
書込完了信号を受信したカード演出制御装置５は、シャッター41を開放すべき旨の開放指令信号をシャッターモータ駆動装置６へ送信する。
開放指令信号を受信したシャッターモータ駆動装置６は、シャッター41を開放する回転方向にシャッターモータ44を駆動させる。シャッター41が完全に開放してから、所定時間が経過すると、遊技制御装置４は、カード演出制御装置５へ演出終了指令を送出する。
この演出終了指令を受信したカード演出制御装置５は、シャッター41を閉鎖すべき旨の閉鎖指令信号をシャッターモータ駆動装置６へ送信する。
【００３５】
閉鎖指令信号を受信したシャッターモータ駆動装置６は、シャッター41を閉鎖する回転方向にシャッターモータ44を駆動させ、シャッター41を閉じ、以上により、カード表示演出装置40によって行われる報知演出の１回分が完了する。
（第１実施形態の効果）
前述のような本実施形態によれば、次のような効果が得られる。
すなわち、リライタブルカード31を搬送するカード搬送機構32を設け、このカード搬送機構32で視認範囲Ｓに配置されているリライタブルカード31を書き込み装置33まで送り、書き込み装置33でリライタブルカード31の表示内容を書き換え、この後、再度、カード搬送機構32でリライタブルカード31を視認範囲Ｓへ搬送するようにしたので、リライタブルカード31の表示内容を、遊技の状況に応じて書き替えて、遊技者等に対して表示することができる。
【００３６】
そして、これらの書き替え動作及び搬送動作を必要に応じて何度も繰り返すことにより、１枚のリライタブルカード31を１回表示したのでは、とうてい表示しきれない程の多くの情報量を表示することができる。
従って、液晶表示装置のように動画を表示することはできないが、遊技者に所定の内容を報知するための表示装置としてリライタブルカード31を利用することが可能となり、入賞役の演出に最適な文章や図形をリライタブルカード31で表示することにより、充分な演出効果を奏することができ、これにより、リライタブルカード31を利用した、まったく新しい演出を行うことができる。
【００３７】
また、リライタブルカード31として、表示領域が設定された部分の内部に多数の磁性粉が封入されて、外部からの磁力で書き換えが行われる磁気式のものを採用したので、熱可逆性方式のリライタブルカード等、他の方式のものを採用する場合よりも、書き替え可能回数が著しく多く確保され、耐久性が向上するようになり、リライタブルカード31の交換作業の頻度が低減でき、スロットマシン１のランニングコストやメンテナンスの手間を軽減することができる。
さらに、表示領域と重ならない部分に磁気記録媒体層である磁気ストライプが設けられたリライタブルカード31を採用するとともに、このリライタブルカード31の磁気ストライプに記録された内容の読み取りと書き込みとを行える書き込み装置33を採用したので、リライタブルカード31の表示領域に表示すべき表示内容をリライタブルカード31自身の磁気記録媒体層に記憶させることができ、書き込み装置33は、表示内容についてのデータを他の装置、例えば、スロットマシン１の遊技制御装置４から提供されなくとも、所定の表示内容を表示領域に表示することができる。
【００３８】
また、磁気ストライプに複数種類の表示内容に係る表示内容データを記録し、この表示内容データのそれぞれに識別コードを付しておいたので、書き込み装置33は、遊技制御装置４から識別コード信号を受信するだけで、指定された表示内容データでリライタブルカード31の表示内容を書き換えることができ、リライタブルカード31で演出が行えるようにスロットマシン１を改造又は設計変更するにあたり、遊技制御装置４等を大幅に改造・変更する必要がなく、改造・変更にかかる手間等を最低限に抑制することができる。
（第２実施形態）
図４から図６までの図は、本発明の第２実施形態を示すものであり、図４は、本第２実施形態に係る遊技機であるスロットマシンの全体を示す正面図、図５は、本第２実施形態に係るカード表示演出装置を示す正面図、図６は、本第２実施形態に係るカード表示演出装置の制御系を示すブロック図である。
【００３９】
本第２実施形態は、前記第１実施形態における１枚のリライタブルカード31で表示を行うカード表示演出装置40を、複数枚のリライタブルカード31で表示を行うカード表示演出装置40A としたものである。
（カード表示演出装置40A の構成）
すなわち、本第２実施形態に係るスロットマシン1Aの前扉3Aには、図４に示すように、図柄表示窓18の図４中右方に液晶パネル表示装置20が配置され、図柄表示窓18の図４中上方にカード表示窓30A が配置されている。
このうち、カード表示窓30A は、図柄表示窓18と同様に、図４中横方向に細長いものとされている。このカード表示窓30A の当該横方向の寸法は、図５に示すように、複数枚のリライタブルカード31が横並び可能な寸法となっている。
【００４０】
このようなカード表示窓30A に対向する視認範囲Ｓは、カード表示窓30A と同様に、複数枚のリライタブルカード31が横並び可能なサイズが確保されたものとなっている。
そして、カード表示演出装置40A は、設けられたリライタブルカード31と同数のカード搬送機構32及び書き込み装置33を備え、設けられたリライタブルカード31に対応させて、カード搬送機構32及び書き込み装置33を横並びに配置したものとなっている。
（カード表示演出装置40A の制御系及び動作）
次に、カード表示演出装置40A の制御系及び動作について簡単に説明する。
図６には、カード表示演出装置40A に係る制御系統の概略構成が示されている。カード表示演出装置40A の動作を制御するカード演出制御装置5Aは、図６に示すように、複数のカード搬送機構32及び書き込み装置33を制御するものとなっている。
【００４１】
ここで、複数のカード搬送機構32及び書き込み装置33は、同じリライタブルカード31を取り扱うもの同士が一つの書き込み処理グループＧを形成するように組み分けされている。そして、カード演出制御装置5Aは、複数のカード搬送機構32及び書き込み装置33を、書き込み処理グループＧ毎に制御するようになっている。
このような制御系において、遊技制御装置４は、遊技における抽選を行い、この抽選で当選した可能性があることを報知する報知演出を行うかを判断する。そして、報知演出を行うことを判断した場合、遊技制御装置４は、視認範囲Ｓに配置して表示すべきリライタブルカード31の枚数を指定する識別コード信号をカード演出制御装置5Aへ送信する。
【００４２】
この際、遊技制御装置４は、ボーナスゲーム等に当選した可能性が高ければ高い程、視認範囲Ｓに配置して表示させるリライタブルカード31の枚数の多い識別コード信号を送信するように設定されている。
カード演出制御装置5Aは、遊技制御装置４から識別コード信号とともに演出指令信号を受信すると、カード表示演出装置40A を起動し、カード表示演出装置40A の動作制御を開始する。
ここで、カード演出制御装置5Aに受信された識別コード信号には、複数種類用意された表示内容のうち、一の表示内容を特定するコードと、視認範囲Ｓに配置して表示すべきリライタブルカード31の枚数を特定するコードとが含まれている。
【００４３】
これにより、カード演出制御装置5Aは、受信した識別コード信号に応じた数の書き込み処理グループＧを起動し、起動された処理グループＧのリライタブルカード31のみについて、前記第１実施形態において説明した所定の処理を行わせ、カード表示窓30A に当選の可能性に応じた数のリライタブルカード31が配置される。換言すると、ボーナスゲーム等に当選した可能性が高ければ高い程、多い枚数のリライタブルカード31が視認範囲Ｓに配置される。
（第２実施形態の効果）
このような本第２実施形態によれば、前記第１実施形態と同様の効果を達成できる他、次のような効果を付加できる。
【００４４】
すなわち、遊技における当否を決める抽選で、ボーナスゲーム等に当選した可能性を遊技者に示唆する報知演出を行う際に、当選した可能性に応じた数のリライタブルカード31を視認範囲Ｓに配置して表示させることができる。より具体的に説明すると、ボーナスゲーム等に当選した可能性が高ければ高い程、視認範囲に配置して表示させるリライタブルカード31の枚数を増やすことができる。
これにより、ボーナスゲーム等に当選した可能性が高いか否かを遊技者に報知することが可能となり、遊技者は、遊技に対する期待感を抱くようになるので、報知演出における演出効果を高めることができ、遊技者をさらに遊技に没入させることができる。
【００４５】
（第３実施形態）
図７及び図８は、本発明の第３実施形態を示すものであり、図７は、本第３実施形態に係るカード表示演出装置を示す正面図、図８は、本第３実施形態に係るカード表示演出装置の制御系を示すブロック図である。
本第３実施形態は、前記第２実施形態における複数の書き込み装置33を備えたカード表示演出装置40A を、１台の書き込み装置33のみを備えたカード表示演出装置40B としたものである。
（カード表示演出装置40B の構成）
すなわち、本第３実施形態に係るカード表示演出装置40B には、図７に示すように、書き込み装置33を図７中左右方向に搬送する書込装置搬送機構50が設けられている。この書込装置搬送機構50は、書き込み装置33を搬送方向に案内する一対のレール51と、このレール51に沿って書き込み装置33が円滑に摺動するように、書き込み装置33側に回転自在に取り付けられた車輪52と、書き込み装置33を駆動する図７には示されていない書込装置搬送モータ53と、書込装置搬送モータ53への供給電力操作を行う図７には示されていない書込装置搬送モータ駆動装置54と、書込装置搬送モータ53の駆動力を伝達するためのタイミングベルト55及びタイミングプーリ56，57とを備えたものとなっている。
【００４６】
また、リライタブルカード31が搬送される搬送路には、リライタブルカード31の表示領域が書き込み装置33の内部に完全に没入してしまう位置Ｕと、リライタブルカード31の表示領域が視認範囲Ｓに完全に重なってしまう位置Ｔとの間に形成されるとともに、リライタブルカード31を待機させるためのスペースである待機位置Ｖが追加されている。
そして、カード搬送機構32C には、待機位置Ｖにおいてリライタブルカード31を摺動可能に案内するカード案内レール36が追加されている。
また、カード案内レール35の書き込み装置33側の端部に配置された一対の駆動ローラ32A に加えて、カード案内レール36の書き込み装置33側の端部にも一対の駆動ローラ32A が設けられている。
【００４７】
このようなカード搬送機構32C は、書き込み装置33が到着するまでの間、あるいは、視認範囲Ｓに配置すべきでないときに、待機位置Ｖにリライタブルカード31を配置して待機させることができる。
さらに、図７におけるカード案内レール36の上方の端部近傍には、リライタブルカード31が位置Ｕに到達したことを検知する上方リミットスイッチ（図示略）が設けられ、図７におけるカード案内レール35の上方及び下方の各端部近傍には、リライタブルカード31が待機位置Ｖに到達したことを検知する中間リミットスイッチ（図示略）と、リライタブルカード31が位置Ｔに到達したことを検知する下方リミットスイッチ（図示略）とが設けられている。
【００４８】
（カード表示演出装置40B の制御系及び動作）
次に、カード表示演出装置40B の制御系及び動作について簡単に説明する。
図８には、カード表示演出装置40B に係る制御系統の概略構成が示されている。カード表示演出装置40B の動作を制御するカード演出制御装置5Bは、図８に示すように、複数のカード搬送機構32C 、並びに、それぞれ単体の書き込み装置33及び書込装置搬送機構50を制御するものとなっている。
そして、遊技制御装置４は、遊技における抽選を行い、この抽選で当選した可能性があることを報知する報知演出を行うかを判断する。そして、報知演出を行うことを判断した場合、遊技制御装置４は、視認範囲Ｓに配置して表示すべきリライタブルカード31の枚数を指定する識別コード信号をカード演出制御装置5Aへ送信する。
【００４９】
この際、遊技制御装置４は、ボーナスゲーム等に当選した可能性が高ければ高い程、視認範囲に配置して表示させるリライタブルカード31の枚数の多い識別コード信号を送信するように設定されている。
ここで、カード演出制御装置5Aに受信された識別コード信号には、複数種類用意された表示内容のうち、一の表示内容を特定するコードと、視認範囲Ｓに配置して表示すべきリライタブルカード31の枚数を特定するコードとが含まれている。
カード演出制御装置5Aは、遊技制御装置４から識別コード信号とともに演出指令信号を受信すると、カード表示演出装置40A を起動し、カード表示演出装置40A の動作制御を開始する。
【００５０】
すなわち、カード表示演出装置40A は、カード演出制御装置5Aの指令に基づき、複数設けられたカード搬送機構32C のうち、識別コード信号に示される数のカード搬送機構32C のそれぞれについて、順次、書き込み装置33を接続して、そのリライタブルカード31に対して書き込み処理を行っていく。
さらに詳しく説明すると、カード演出制御装置5Aは、書込装置搬送機構50を制御して、最初に書き替え処理を行うべきリライタブルカード31を備えたカード搬送機構32C まで書き込み装置33を移動させ、当該カード搬送機構32C と書き込み装置33とを接続させる。この後、カード搬送機構32C を制御しながら、書き込み装置33に対して、リライタブルカード31の挿入及び排出を行わせるとともに、書き込み装置33を制御して、リライタブルカード31の書き込み処理を行う。
【００５１】
一つのカード搬送機構32C についてリライタブルカード31の書き込み処理が終了したら、次のカード搬送機構32C についてリライタブルカード31の書き込み処理を行い、このようなリライタブルカード31の書き込み処理を、識別コード信号に示される数だけ繰り返し、識別コード信号に示される数のリライタブルカード31について書き込み処理が完了したら、１回分の報知演出における書き込み処理はすべて完了となる。
（第３実施形態の効果）
このような本第３実施形態によれば、前記第１及び第２実施形態と同様の効果を達成できる他、次のような効果を付加できる。
【００５２】
すなわち、書き込み装置33を搬送する書込装置搬送機構50を設け、複数設けられたカード搬送機構32C に対して一つの書き込み装置33を移動させて、各カード搬送機構32C のリライタブルカード31の書き込みを可能としたので、複数のリライタブルカード31を同時に遊技者に表示するようにしても、複数のリライタブルカード31を一つの書き込み装置33で書き替えることができ、高価な書き込み装置33の数を削減でき、スロットマシン1Aの製造コストを削減することができる。
（変形例）
なお、本発明は、前記実施形態に限定されるものではなく、本発明の目的を達成できる範囲における変形及び改良などをも含むものである。
【００５３】
すなわち、リライタブルカードとしては、磁気作用により書き換えが可能となった磁気式のリライタブルカードに限らず、可逆感熱記録が行えるロイコ染料等を利用した熱可逆性方式のリライタブルカードでもよい。
また、遊技機としては、スロットマシンに限らず、パチンコ機等の弾球遊技機でもよく、要するに、本発明は、何らかの情報を遊技者に対して表示する機能を備えた遊技機であれば、その種類に関係なく適用できる。
【図面の簡単な説明】
【００５４】
【図１】本発明の第１実施形態に係る遊技機であるスロットマシンを示す正面図である。
【図２】前記第１実施形態に係るカード表示演出装置を示す断面図である。
【図３】前記第１実施形態に係る制御装置の要部を示すブロック図である。
【図４】本発明の第２実施形態に係る遊技機であるスロットマシンを示す正面図である。
【図５】前記第２実施形態に係るカード表示演出装置を示す正面図である。
【図６】前記第２実施形態に係るカード表示演出装置の制御系を示すブロック図である。
【図７】本発明の第３実施形態に係るカード表示演出装置を示す正面図である。
【図８】前記第３実施形態に係るカード表示演出装置の制御系を示すブロック図である。
【符号の説明】
【００５５】
１      遊技機としてのスロットマシン
２      筐体としての本体キャビネット
３      前扉
４      遊技制御装置
30      カード表示窓
31      リライタブルカード
32,32C  搬送機構としてのカード搬送装置
33      書き込み装置
Ｓ      視認範囲
【図１】
2007151700.tif 000003
【図２】
2007151700.tif 000004
【図３】
2007151700.tif 000005
【図４】
2007151700.tif 000006
【図５】
2007151700.tif 000007
【図６】
2007151700.tif 000008
【図７】
2007151700.tif 000009
【図８】
2007151700.tif 000010